(57)【特許請求の範囲】
【請求項１】
シングルユーザ多入力多出力送信を利用するユーザ装置における方法であって、
制御信号の前記送信のために１又はそれ以上の制御チャネル要素の集約が予約されたダウンリンク制御チャネル上で前記制御信号及びデータ信号を受信するステップと、
前記ダウンリンク制御チャネル上の前記制御チャネル要素の数に対応する数のアップリンク制御チャネルインデックスが利用可能なアップリンクチャネル上で制御情報を送信するステップと、
を含み、前記送信が、複数のアップリンクチャネルインデックスを必要とし、
複数の制御チャネルインデックスが利用可能な場合、前記制御情報の送信が、前記制御データを受信した前記最も下位のダウンリンクチャネル要素に対応する前記アップリンク制御チャネルインデックスと、前記制御データを受信した別の所定のチャネル要素に対応する前記アップリンク制御チャネルインデックスとを利用し、
１つの制御チャネルインデックスが利用可能な場合、前記制御情報の送信が、前記最も下位のダウンリンク制御チャネル要素に対応する前記アップリンク制御チャネルインデックス要素を利用し、第２の制御チャネルインデックスに関する制御情報の前記送信が、別個のチャネル、又は前記制御情報の送信時に送信特性を調整することに基づく、
ことを特徴とする方法。
【請求項２】
シングルユーザ多入力多出力送信を利用するユーザ装置における方法であって、
制御信号の前記送信のために１又はそれ以上の制御チャネル要素の集約が予約されたダウンリンク制御チャネル上で前記制御信号及びデータ信号を受信するステップと、
前記ダウンリンク制御チャネル上の前記制御チャネル要素の数に対応する数のアップリンク制御チャネルインデックスが利用可能なアップリンクチャネル上で制御情報を送信するステップと、
を含み、前記送信が、複数のアップリンクチャネルインデックスを必要とし、
複数の制御チャネルインデックスが利用可能な場合、前記制御情報の送信が、前記制御データを受信した前記最も下位のダウンリンクチャネル要素に対応する前記アップリンク制御チャネルインデックスと、前記制御データを受信した別の所定のチャネル要素に対応する前記アップリンク制御チャネルインデックスとを利用し、
１つの制御チャネルインデックスが利用可能な場合、前記制御情報の送信が、前記制御データを受信した前記最も下位のダウンリンクチャネル要素に対応する前記制御チャネルインデックス要素を利用する、
ことを特徴とする方法。
【請求項３】
前記利用可能な制御チャネルインデックスが、所定のアンテナ又は所定のアンテナグループに割り当てられる、
ことを特徴とする請求項１又は請求項２に記載の方法。
【請求項４】
１つの制御チャネルインデックスが利用可能な場合の前記制御情報の送信が、単一アンテナによる送信又はプリコードした単一ストリームの送信に対応する、
ことを特徴とする請求項２に記載の方法。
【請求項５】
前記送信のために複数の制御チャネル要素の集約が予約されたダウンリンクチャネルのチャネル割り当てを受け取るステップをさらに含む、
ことを特徴とする請求項１に記載の方法。
【請求項６】
前記アップリンク制御情報の送信のための１又はそれ以上の追加の制御チャネルインデックスの割り当てを受け取るステップをさらに含む、
ことを特徴とする請求項１に記載の方法。
【請求項７】
基地局の所与のカバーエリア内にあるユーザ装置の制御送信のために、アップリンク制御チャネル上の所与の数の連続するチャネルインデックスが予約され、前記予約されたインデックスが、永続的リソースとして示されるインデックスグループ、及び動的リソースとして示されるインデックスグループという、連続するチャネルインデックスを含む２つのグループを含み、前記第２の制御チャネルインデックスの前記割り当てが、ユーザ装置の制御送信のために予約された前記所与の数のインデックス内の所与の位置に対する一定のオフセットに基づく、
ことを特徴とする請求項１に記載の方法。
【請求項８】
前記第２の制御チャネルインデックスの前記割り当てが、動的リソースとして示される前記インデックスグループの前記開始位置に対する一定のオフセットに基づく、
ことを特徴とする請求項７に記載の方法。
【請求項９】
前記第２の制御チャネルインデックスの前記割り当てが、動的リソースとして示される前記インデックスグループの瞬間的サイズに対する一定のオフセットに基づく、
ことを特徴とする請求項７に記載の方法。
【請求項１０】
前記第２の制御チャネルインデックスの前記割り当てが、永続的リソースとして示される前記インデックスグループの前記開始位置に対する一定のオフセットに基づく、
ことを特徴とする請求項７に記載の方法。
【請求項１１】
前記第１の制御チャネルインデックスに対する予め定めた巡回シフトオフセットを前記第２の制御チャネルインデックスの前記送信において適用することにより、前記第２の制御チャネルインデックスのためのリソースを割り当てるステップをさらに含む、
ことを特徴とする請求項１に記載の方法。
【請求項１２】
前記第２の制御チャネルインデックスの前記割り当てが、ユーザ装置の制御送信のために予約された前記所与の数のインデックス内の所与の位置に対する一定のオフセットに基づき、前記第１の制御チャネルインデックスに対する予め定めた巡回シフトオフセットが、前記第２の制御チャネルインデックスの前記送信において適用される、
ことを特徴とする請求項７に記載の方法。
【請求項１３】
他の何らかの目的で前記ユーザ装置に割り当てられたリソースを、前記第２の制御チャネルインデックスの前記送信で利用するステップをさらに含む、
ことを特徴とする請求項１に記載の方法。
【請求項１４】
シングルユーザ多入力多出力送信を利用する装置であって、
制御信号の前記送信のために１又はそれ以上の制御チャネル要素の集約が予約されたダウンリンク制御チャネル上で前記制御信号及びデータ信号を受信するように構成された受信機と、
前記ダウンリンク制御チャネル上の前記制御チャネル要素の数に対応する数のアップリンク制御チャネルインデックスが利用可能なアップリンクチャネル上で制御情報を送信するように構成された送信機と、
前記受信機及び前記送信機に動作可能に接続されたコントローラと、
を備え、前記送信が、複数のアップリンクチャネルインデックスを必要とし、
複数の制御チャネルインデックスが利用可能な場合、前記コントローラが、前記制御情報の送信を、前記制御データを受信した前記最も下位のチャネル要素に対応する前記制御チャネルインデックスと、前記制御データを受信した別の所定のチャネル要素に対応する制御チャネルインデックスとを利用するように制御するように構成され、
１つの制御チャネルインデックスが利用可能な場合、前記コントローラが、前記制御情報の送信を、前記最も下位のダウンリンク制御チャネル要素に対応する前記アップリンク制御チャネルインデックスを利用するように制御し、第２の制御チャネルインデックスに関する制御情報の前記送信を、別個のチャネル、又は前記制御情報の送信時に送信特性を調整することに基づいて制御するように構成される、
ことを特徴とする装置。
【請求項１５】
シングルユーザ多入力多出力送信を利用する装置であって、
制御信号の前記送信のために１又はそれ以上の制御チャネル要素の集約が予約されたダウンリンク制御チャネル上で前記制御信号及びデータ信号を受信するように構成された受信機と、
前記ダウンリンク制御チャネル上の前記制御チャネル要素の数に対応する数のアップリンク制御チャネルインデックスが利用可能なアップリンクチャネル上で制御情報を送信するように構成された送信機と、
前記受信機及び前記送信機に動作可能に接続されたコントローラと、
を備え、前記送信が、複数のアップリンクチャネルインデックスを必要とし、
複数の制御チャネルインデックスが利用可能な場合、前記コントローラが、前記制御情報の送信を、前記制御データを受信した前記最も下位のチャネル要素に対応する前記制御チャネルインデックスと、前記制御データを受信した別の所定のチャネル要素に対応する制御チャネルインデックスとを利用するように制御するように構成され、
１つの制御チャネルインデックスが利用可能な場合、前記コントローラが、前記制御情報の送信を、前記制御データを受信した前記最も下位のダウンリンクチャネル要素に対応する前記制御チャネルインデックスを利用するように制御するように構成される、
ことを特徴とする装置。
【請求項１６】
前記コントローラが、前記利用可能な制御チャネルインデックスを所定のアンテナ又は所定のアンテナグループに割り当てるようにさらに構成される、
ことを特徴とする請求項１４又は請求項１５に記載の装置。
【請求項１７】
前記コントローラが、１つの制御チャネルインデックスが利用可能な場合の前記制御情報の送信が、単一アンテナによる送信又はプリコードした単一ストリームの送信に対応するように制御するようにさらに構成される、
ことを特徴とする請求項１５に記載の装置。
【請求項１８】
前記装置が、前記送信のために複数の制御チャネル要素の集約が予約されたダウンリンクチャネルのチャネル割り当てを受け取るように構成される、
ことを特徴とする請求項１４に記載の装置。
【請求項１９】
前記装置が、前記アップリンク制御情報の送信のための１又はそれ以上の追加の制御チャネルインデックスの割り当てを受け取るように構成される、
ことを特徴とする請求項１４に記載の装置。
【請求項２０】
基地局の所与のカバーエリア内にあるユーザ装置の制御送信のために、アップリンク制御チャネル上の所与の数の連続するチャネルインデックスが予約され、前記予約されたインデックスが、永続的リソースとして示されるインデックスグループ、及び動的リソースとして示されるインデックスグループという、連続するチャネルインデックスを含む２つのグループを含み、前記装置が、前記第２の制御チャネルインデックスの前記割り当てを、ユーザ装置の制御送信のために予約された前記所与の数のインデックス内の所与の位置に対する一定のオフセットに基づかせるように構成される、
ことを特徴とする請求項１４に記載の装置。
【請求項２１】
前記装置が、前記第２の制御チャネルインデックスの前記割り当てを、動的リソースとして示される前記インデックスグループの前記開始位置に対する一定のオフセットに基づかせるように構成される、
ことを特徴とする請求項２０に記載の装置。
【請求項２２】
前記装置が、前記第２の制御チャネルインデックスの前記割り当てを、動的リソースとして示される前記インデックスグループの瞬間的サイズに対する一定のオフセットに基づかせるように構成される、
ことを特徴とする請求項２０に記載の装置。
【請求項２３】
前記装置が、前記第２の制御チャネルインデックスの前記割り当てを、永続的リソースとして示される前記インデックスグループの前記開始位置に対する一定のオフセットに基づかせるように構成される、
ことを特徴とする請求項２０に記載の装置。
【請求項２４】
前記装置が、前記第１の制御チャネルインデックスに対する予め定めた巡回シフトオフセットを前記第２の制御チャネルインデックスの前記送信において適用することにより、前記第２の制御チャネルインデックスのためのリソースを割り当てるように構成される、ことを特徴とする請求項１４に記載の装置。
【請求項２５】
前記装置が、前記第２の制御チャネルインデックスの前記割り当てを、ユーザ装置の制御送信のために予約された前記所与の数のインデックス内の所与の位置に対する一定のオフセットに基づかせ、前記第１の制御チャネルインデックスに対する予め定めた巡回シフトオフセットを前記第２の制御チャネルインデックスの前記送信において適用するように構成される、
ことを特徴とする請求項２０に記載の装置。
【請求項２６】
前記装置が、他の何らかの目的で前記ユーザ装置に割り当てられたリソースを、前記第２の制御チャネルインデックスの前記送信で利用するように構成される、
ことを特徴とする請求項１４に記載の装置。
【請求項２７】
送信のために１又はそれ以上の制御チャネル要素の集約が予約されたダウンリンク制御チャネル上で前記制御信号及びデータ信号を送信するように構成された送信機と、
前記ダウンリンク制御チャネル上の前記制御チャネル要素の数に対応する数のアップリンク制御チャネルインデックスが利用可能なアップリンクチャネル上で制御情報を受信するように構成された受信機と、
前記受信機及び前記送信機に動作可能に接続されたコントローラと、
を備え、前記送信が、シングルユーザ多入力多出力であるとともに複数のアップリンクチャネルインデックスを必要とし、
複数の制御チャネルインデックスが利用可能な場合、前記コントローラが、前記受信機を、前記制御データを受信した前記最も下位のチャネル要素に対応する前記制御チャネルインデックス、及び前記制御データを受信した別の所定のチャネル要素に対応する制御チャネルインデックスで制御情報を受信するように制御するように構成され、
１つの制御チャネルインデックスが利用可能な場合、前記コントローラが、前記受信機を、前記最も下位のダウンリンクチャネル要素に対応する前記アップリンク制御チャネルインデックスで制御情報を受信するように制御し、第２の制御チャネルインデックスに関する制御情報の前記送信を、別個のチャネル、又は前記制御情報の受信時に送信特性を調整することに基づいて制御するように構成される、
ことを特徴とする装置。
【請求項２８】
送信のために１又はそれ以上の制御チャネル要素の集約が予約されたダウンリンク制御チャネル上で前記制御信号及びデータ信号を送信するように構成された送信機と、
前記ダウンリンク制御チャネル上の前記制御チャネル要素の数に対応する数のアップリンク制御チャネルインデックスが利用可能なアップリンクチャネル上で制御情報を受信するように構成された受信機と、
前記受信機及び前記送信機に動作可能に接続されたコントローラと、
を備え、前記送信が、シングルユーザ多入力多出力であるとともに複数のアップリンクチャネルインデックスを必要とし、
複数の制御チャネルインデックスが利用可能な場合、前記コントローラが、前記受信機を、前記制御データを受信した前記最も下位のチャネル要素に対応する前記制御チャネルインデックス、及び前記制御データを受信した別の所定のチャネル要素に対応する制御チャネルインデックスで制御情報を受信するように制御するように構成され、
１つの制御チャネルインデックスが利用可能な場合、前記コントローラが、前記受信機を、前記制御データを送信した前記最も下位のダウンリンクチャネル要素に対応する前記制御チャネルインデックスで制御情報を受信するように制御するように構成される、
ことを特徴とする装置。
【請求項２９】
前記装置が、前記送信のために複数の制御チャネル要素の集約が予約されたダウンリンクチャネルのチャネル割り当て情報を受け取るように構成される、
ことを特徴とする請求項２７に記載の装置。
【請求項３０】
前記装置が、前記アップリンク制御情報の送信のための１又はそれ以上の追加の制御チャネルインデックスの割り当てを送信するように構成される、
ことを特徴とする請求項２７に記載の装置。
【請求項３１】
基地局の所与のカバーエリア内にあるユーザ装置の制御送信のために、アップリンク制御チャネル上の所与の数の連続するチャネルインデックスが予約され、前記予約されたインデックスが、永続的リソースとして示されるインデックスグループ、及び動的リソースとして示されるインデックスグループという、連続するチャネルインデックスを含む２つのグループを含み、前記装置が、前記第２の制御チャネルインデックスの前記割り当てを、ユーザ装置の制御送信のために予約された前記所与の数のインデックス内の所与の位置に対する一定のオフセットに基づいて制御するように構成される、
ことを特徴とする請求項２８に記載の装置。
【請求項３２】
前記装置が、前記第２の制御チャネルインデックスの前記割り当てを、動的リソースとして示される前記インデックスグループの前記開始位置に対する一定のオフセットに基づいて制御するように構成される、
ことを特徴とする請求項３１に記載の装置。
【請求項３３】
前記装置が、前記第２の制御チャネルインデックスの前記割り当てを、動的リソースとして示される前記インデックスグループの瞬間的サイズに対する一定のオフセットに基づいて制御するように構成される、
ことを特徴とする請求項３１に記載の装置。
【請求項３４】
前記装置が、前記第２の制御チャネルインデックスの前記割り当てを、永続的リソースとして示される前記インデックスグループの前記開始位置に対する一定のオフセットに基づいて制御するように構成される、
ことを特徴とする請求項３１に記載の装置。
【請求項３５】
前記装置が、前記第１の制御チャネルインデックスに対する予め定めた巡回シフトオフセットを前記第２の制御チャネルインデックスの前記受信に適用することにより、前記第２の制御チャネルインデックスを受信するように構成される、
ことを特徴とする請求項２７に記載の装置。
【請求項３６】
前記装置が、前記第２の制御チャネルインデックスの前記割り当てを、ユーザ装置の制御送信のために予約された前記所与の数のインデックス内の所与の位置に対する一定のオフセットに基づいて制御し、前記第１の制御チャネルインデックスに対する予め定めた巡回シフトオフセットを前記第２の制御チャネルインデックスの前記受信に適用するように構成される、
ことを特徴とする請求項３１に記載の装置。
【請求項３７】
前記装置が、他の何らかの目的で前記ユーザ装置に割り当てられたリソースを、前記第２の制御チャネルインデックスの前記受信で利用するように構成される、
ことを特徴とする請求項２７に記載の装置。
【請求項３８】
前記送信のために１又はそれ以上の制御チャネル要素の集約が予約されたダウンリンク制御チャネル上で前記制御信号及びデータ信号を送信するステップと、
前記ダウンリンク制御チャネル上の前記制御チャネル要素の数に対応する数のアップリンク制御チャネルインデックスが利用可能なアップリンクチャネル上で制御情報を受信するステップと、
を含み、前記送信が、シングルユーザ多入力多出力であるとともに複数のアップリンクチャネルインデックスを必要とし、
複数の制御チャネルインデックスが利用可能な場合、前記制御情報が、前記制御データを受信した前記最も下位のチャネル要素に対応する前記アップリンク制御チャネルインデックス、及び前記制御データを受信した別の所定のチャネル要素に対応する前記アップリンク制御チャネルインデックスで受信され、
１つの制御チャネルインデックスが利用可能な場合、前記制御情報が、前記最も下位のダウンリンクチャネル要素に対応する前記アップリンク制御チャネルインデックスで受信され、第２の制御チャネルインデックスに関する制御情報の前記送信の前記制御が、別個のチャネル、又は前記制御情報の送信時に送信特性を調整することに基づく、
ことを特徴とする方法。
【請求項３９】
前記送信のために１又はそれ以上の制御チャネル要素の集約が予約されたダウンリンク制御チャネル上で前記制御信号及びデータ信号を送信するステップと、
前記ダウンリンク制御チャネル上の前記制御チャネル要素の数に対応する数のアップリンク制御チャネルインデックスが利用可能なアップリンクチャネル上で制御情報を受信するステップと、
を含み、前記送信が、シングルユーザ多入力多出力であるとともに複数のアップリンクチャネルインデックスを必要とし、
複数の制御チャネルインデックスが利用可能な場合、前記制御情報が、前記制御データを受信した前記最も下位のチャネル要素に対応する前記アップリンク制御チャネルインデックス、及び前記制御データを受信した別の所定のチャネル要素に対応する前記アップリンク制御チャネルインデックスで受信され、
１つの制御チャネルインデックスが利用可能な場合、前記制御情報が、前記制御データを送信した前記最も下位のダウンリンクチャネル要素に対応する前記制御チャネルインデックスで受信される、
ことを特徴とする方法。
【請求項４０】
データ及び制御情報を送受信するための動作を実行するようにプロセッサにより実行可能な命令のプログラムを具体化するコンピュータ可読メモリであって、前記動作が、
前記送信のために１又はそれ以上の制御チャネル要素の集約が予約されたダウンリンク制御チャネル上で前記制御信号及びデータ信号を送信するステップと、
前記ダウンリンク制御チャネル上の前記制御チャネル要素の数に対応する数のアップリンク制御チャネルインデックスが利用可能なアップリンクチャネル上で制御情報を受信するステップと、
を含み、前記送信が、シングルユーザ多入力多出力であるとともに複数のアップリンクチャネルインデックスを必要とし、
複数の制御チャネルインデックスが利用可能な場合、前記制御情報が、前記制御データを受信した前記最も下位のチャネル要素に対応する前記アップリンク制御チャネルインデックス、及び前記制御データを受信した別の所定のチャネル要素に対応する前記アップリンク制御チャネルインデックスで受信され、
１つの制御チャネルインデックスが利用可能な場合、前記制御情報が、前記最も下位のダウンリンクチャネル要素に対応する前記アップリンク制御チャネルインデックスで受信され、第２の制御チャネルインデックスに関する制御情報の前記送信の前記制御が、別個のチャネル、又は前記制御情報の送信時に送信特性を調整することに基づく、
ことを特徴とするコンピュータ可読メモリ。
【請求項４１】
データ及び制御情報を送受信するための動作を実行するようにプロセッサにより実行可能な命令のプログラムを具体化するコンピュータ可読メモリであって、前記動作が、
制御信号の、シングルユーザ多入力多出力である前記送信のために１又はそれ以上の制御チャネル要素の集約が予約されたダウンリンク制御チャネル上で前記制御信号及びデータ信号を受信するステップと、
前記ダウンリンク制御チャネル上の前記制御チャネル要素の数に対応する数のアップリンク制御チャネルインデックスが利用可能なアップリンクチャネル上で制御情報を送信するステップと、
を含み、前記送信が、複数のアップリンクチャネルインデックスを必要とし、
複数の制御チャネルインデックスが利用可能な場合、前記制御情報の送信が、前記制御データを受信した前記最も下位のダウンリンクチャネル要素に対応する前記アップリンク制御チャネルインデックスと、前記制御データを受信した別の所定のチャネル要素に対応するアップリンク制御チャネルインデックスとを利用し、
１つの制御チャネルインデックスが利用可能な場合、前記制御情報の送信が、前記最も下位のダウンリンク制御チャネル要素に対応する前記アップリンク制御チャネルインデックス要素を利用し、第２の制御チャネルインデックスに関する制御情報の前記送信が、別個のチャネル、又は前記制御情報の送信時に送信特性を調整することに基づく、
ことを特徴とするコンピュータ可読メモリ。
【発明の詳細な説明】
【技術分野】
【０００１】
本発明の例示的かつ非限定的な実施形態は、一般に無線通信ネットワークに関し、より詳細には、データ及び制御情報の送受信に関する。
【背景技術】
【０００２】
以下の背景技術についての記述は、本発明に先行する関連技術には知られておらず本発明により提供される開示とともに、見識、発見、理解又は開示、或いは関連性を含むことができる。以下、本発明のいくつかのこのような寄与を具体的に指摘することができるが、これらの文脈から本発明のその他のこのような寄与が明らかになるであろう。
【０００３】
将来の通信システムを設計する上で重要な要素は、より高いデータレートをコスト効率良くサポートすることである。高データレートをサポートする１つの通信システムに、より高いデータレートをコスト効率良く提供するための第３世代パートナーシッププロジェクト（３ＧＰＰ）ロングタームエボリューション（ＬＴＥ）リリース８無線アクセス技術がある。ロングタームエボリューション無線アクセスシステムの改良版は、ＬＴＥ−Ａｄｖａｎｃｅｄ（ＬＴＥ−Ａ）と呼ばれる。ＬＴＥは、高速データ、マルチメディアユニキャスト、及びマルチメディアブロードキャストサービスをサポートするように設計されている。
【０００４】
通常、データレートが高くなると、制御シグナリングのための要件も高く設定される。アップリンクデータが存在しないときには、確認応答（ＡＣＫ）、否定応答（ＮＡＣＫ）、チャネル品質インジケータ（ＣＱＩ）、及びアップリンクスケジューリング要求などのアップリンク制御信号を物理アップリンク制御チャネル（ＰＵＣＣＨ）で送信することができる。
【０００５】
より高いデータレートを提供するための１つの解決策に、シングルユーザ多入力多出力（ＳＵ−ＭＩＭＯ）法がある。ＳＵ−ＭＩＭＯでは、ユーザ装置が、基地局との通信において複数のアンテナを利用する。通常、アンテナの数は２〜４とすることができる。しかしながら、アンテナの数は、いずれかの特定の数に限定されるものではない。
【先行技術文献】
【非特許文献】
【０００６】
【非特許文献１】３ＧＰＰ文書ＴＳ  ３６．２１３
【発明の概要】
【課題を解決するための手段】
【０００７】
以下、本発明のいくつかの態様の基本的な理解をもたらすために、本発明の簡略化した要約を示す。この要約は、本発明の広範な概要ではない。本発明の主要／重要な要素を特定すること、又は本発明の範囲を示すことを目的とするものでもない。後述する詳細な説明の前置きとして本発明のいくつかの概念を簡略化した形で示すことのみを目的とする。
【０００８】
本発明の別の態様によれば、シングルユーザ多入力多出力送信を利用するユーザ装置における方法が提供され、この方法は、制御信号の送信のために１又はそれ以上の制御チャネル要素の集約が予約されたダウンリンク制御チャネル上で制御信号及びデータ信号を受信するステップと、ダウンリンク制御チャネル上の制御チャネル要素の数に対応する数のアップリンク制御チャネルインデックスが利用可能なアップリンクチャネル上で制御情報を送信するステップとを含み、この送信は、複数のアップリンクチャネルインデックスを必要とし、複数の制御チャネルインデックスが利用可能な場合、制御情報の送信が、制御データを受信した最も下位のダウンリンクチャネル要素に対応するアップリンク制御チャネルインデックスと、制御データを受信した別の所定のチャネル要素に対応するアップリンク制御チャネルインデックスとを利用し、１つの制御チャネルインデックスが利用可能な場合、制御情報の送信が、最も下位のダウンリンク制御チャネル要素に対応するアップリンク制御チャネルインデックス要素を利用し、第２の制御チャネルインデックスに関する制御情報の送信が、別個のチャネル、又は制御情報の送信時に送信特性を調整することに基づく。
【０００９】
本発明の別の態様によれば、シングルユーザ多入力多出力送信を利用するユーザ装置における方法が提供され、この方法は、制御信号の送信のために１又はそれ以上の制御チャネル要素の集約が予約されたダウンリンク制御チャネル上で制御信号及びデータ信号を受信するステップと、ダウンリンク制御チャネル上の制御チャネル要素の数に対応する数のアップリンク制御チャネルインデックスが利用可能なアップリンクチャネル上で制御情報を送信するステップとを含み、この送信は、複数のアップリンクチャネルインデックスを必要とし、複数の制御チャネルインデックスが利用可能な場合、制御情報の送信が、制御データを受信した最も下位のダウンリンクチャネル要素に対応するアップリンク制御チャネルインデックスと、制御データを受信した別の所定のチャネル要素に対応するアップリンク制御チャネルインデックスとを利用し、１つの制御チャネルインデックスが利用可能な場合、制御情報の送信が、制御データを受信した最も下位のダウンリンクチャネル要素に対応する制御チャネルインデックス要素を利用する。
【００１０】
本発明の態様によれば、シングルユーザ多入力多出力送信を利用する装置が提供され、この装置は、制御信号の送信のために１又はそれ以上の制御チャネル要素の集約が予約されたダウンリンク制御チャネル上で制御信号及びデータ信号を受信するように構成された受信機と、ダウンリンク制御チャネル上の制御チャネル要素の数に対応する数のアップリンク制御チャネルインデックスが利用可能なアップリンクチャネル上で制御情報を送信するように構成された送信機と、受信機及び送信機に動作可能に接続されたコントローラとを備え、上記送信は、複数のアップリンクチャネルインデックスを必要とし、複数の制御チャネルインデックスが利用可能な場合、コントローラが、制御情報の送信を、制御データを受信した最も下位のチャネル要素に対応する制御チャネルインデックスと、制御データを受信した別の所定のチャネル要素に対応する制御チャネルインデックスとを利用するように制御するように構成され、１つの制御チャネルインデックスが利用可能な場合、コントローラが、制御情報の送信を、アップリンク制御チャネルインデックスを利用するように制御し、第２の制御チャネルインデックスに関する制御情報の送信を、別個のチャネル、又は制御情報の送信時に送信特性を調整することに基づいて制御するように構成される。
【００１１】
本発明の態様によれば、シングルユーザ多入力多出力送信を利用する装置が提供され、この装置は、制御信号の送信のために１又はそれ以上の制御チャネル要素の集約が予約されたダウンリンク制御チャネル上で制御信号及びデータ信号を受信するように構成された受信機と、ダウンリンク制御チャネル上の制御チャネル要素の数に対応する数のアップリンク制御チャネルインデックスが利用可能なアップリンクチャネル上で制御情報を送信するように構成された送信機と、受信機及び送信機に動作可能に接続されたコントローラとを備え、上記送信は、複数のアップリンクチャネルインデックスを必要とし、複数の制御チャネルインデックスが利用可能な場合、コントローラが、制御情報の送信を、制御データを受信した最も下位のチャネル要素に対応する制御チャネルインデックスと、制御データを受信した別の所定のチャネル要素に対応する制御チャネルインデックスとを利用するように制御するように構成され、１つの制御チャネルインデックスが利用可能な場合、コントローラが、制御情報の送信を、制御データを受信した最も下位のダウンリンクチャネル要素に対応する制御チャネルインデックスを利用するように制御するように構成される。
【００１２】
本発明の態様によれば、装置が提供され、この装置は、送信のために１又はそれ以上の制御チャネル要素の集約が予約されたダウンリンク制御チャネル上で制御信号及びデータ信号を送信するように構成された送信機と、ダウンリンク制御チャネル上の制御チャネル要素の数に対応する数のアップリンク制御チャネルインデックスが利用可能なアップリンクチャネル上で制御情報を受信するように構成された受信機と、受信機及び送信機に動作可能に接続されたコントローラとを備え、上記送信は、シングルユーザ多入力多出力であるとともに複数のアップリンクチャネルインデックスを必要とし、複数の制御チャネルインデックスが利用可能な場合、コントローラが、受信機を、制御データを受信した最も下位のチャネル要素に対応する制御チャネルインデックス、及び制御データを受信した別の所定のチャネル要素に対応する制御チャネルインデックスで制御情報を受信するように制御するように構成され、１つの制御チャネルインデックスが利用可能な場合、コントローラが、受信機を、最も下位のダウンリンクチャネル要素に対応するアップリンク制御チャネルインデックスで制御情報を受信するように制御し、第２の制御チャネルインデックスに関する制御情報の送信を、別個のチャネル、又は制御情報の受信時に送信特性を調整することに基づいて制御するように構成される。
【００１３】
本発明の態様によれば、装置が提供され、この装置は、送信のために１又はそれ以上の制御チャネル要素の集約が予約されたダウンリンク制御チャネル上で制御信号及びデータ信号を送信するように構成された送信機と、ダウンリンク制御チャネル上の制御チャネル要素の数に対応する数のアップリンク制御チャネルインデックスが利用可能なアップリンクチャネル上で制御情報を受信するように構成された受信機と、受信機及び送信機に動作可能に接続されたコントローラとを備え、上記送信は、シングルユーザ多入力多出力であるとともに複数のアップリンクチャネルインデックスを必要とし、複数の制御チャネルインデックスが利用可能な場合、コントローラが、受信機を、制御データを受信した最も下位のチャネル要素に対応する制御チャネルインデックス、及び制御データを受信した別の所定のチャネル要素に対応する制御チャネルインデックスで制御情報を受信するように制御するように構成され、１つの制御チャネルインデックスが利用可能な場合、コントローラが、受信機を、制御データを送信した最も下位のダウンリンクチャネル要素に対応する制御チャネルインデックスで制御情報を受信するように制御するように構成される。
【００１４】
本発明の別の態様によれば、方法が提供され、この方法は、送信のために１又はそれ以上の制御チャネル要素の集約が予約されたダウンリンク制御チャネル上で制御信号及びデータ信号を送信するステップと、ダウンリンク制御チャネル上の制御チャネル要素の数に対応する数のアップリンク制御チャネルインデックスが利用可能なアップリンクチャネル上で制御情報を受信するステップとを含み、上記送信は、シングルユーザ多入力多出力であるとともに複数のアップリンクチャネルインデックスを必要とし、複数の制御チャネルインデックスが利用可能な場合、制御情報が、制御データを受信した最も下位のチャネル要素に対応するアップリンク制御チャネルインデックス、及び制御データを受信した別の所定のチャネル要素に対応するアップリンク制御チャネルインデックスで受信され、１つの制御チャネルインデックスが利用可能な場合、制御情報が、アップリンク制御チャネルインデックスで受信され、第２の制御チャネルインデックスに関する制御情報の送信の制御が、別個のチャネル、又は制御情報の送信時に送信特性を調整することに基づく。
【００１５】
本発明の別の態様によれば、方法が提供され、この方法は、送信のために１又はそれ以上の制御チャネル要素の集約が予約されたダウンリンク制御チャネル上で制御信号及びデータ信号を送信するステップと、ダウンリンク制御チャネル上の制御チャネル要素の数に対応する数のアップリンク制御チャネルインデックスが利用可能なアップリンクチャネル上で制御情報を受信するステップとを含み、上記送信は、シングルユーザ多入力多出力であるとともに複数のアップリンクチャネルインデックスを必要とし、複数の制御チャネルインデックスが利用可能な場合、制御情報が、制御データを受信した最も下位のチャネル要素に対応するアップリンク制御チャネルインデックス、及び制御データを受信した別の所定のチャネル要素に対応するアップリンク制御チャネルインデックスで受信され、１つの制御チャネルインデックスが利用可能な場合、制御情報が、制御データを送信した最も下位のダウンリンクチャネル要素に対応する制御チャネルインデックスで受信される。
【００１６】
本発明の別の態様によれば、データ及び制御情報を送受信するための動作を実行するようにプロセッサにより実行可能な命令のプログラムを具体化するコンピュータ可読メモリが提供され、上記動作は、送信のために１又はそれ以上の制御チャネル要素の集約が予約されたダウンリンク制御チャネル上で制御信号及びデータ信号を送信するステップと、ダウンリンク制御チャネル上の制御チャネル要素の数に対応する数のアップリンク制御チャネルインデックスが利用可能なアップリンクチャネル上で制御情報を受信するステップとを含み、上記送信は、シングルユーザ多入力多出力であるとともに複数のアップリンクチャネルインデックスを必要とし、複数の制御チャネルインデックスが利用可能な場合、制御情報が、制御データを受信した最も下位のチャネル要素に対応するアップリンク制御チャネルインデックス、及び制御データを受信した別の所定のチャネル要素に対応するアップリンク制御チャネルインデックスで受信され、１つの制御チャネルインデックスが利用可能な場合、制御情報が、アップリンク制御チャネルインデックスで受信され、第２の制御チャネルインデックスに関する制御情報の送信の制御が、別個のチャネル、又は制御情報の送信時に送信特性を調整することに基づく。
【００１７】
本発明のさらに別の態様によれば、データ及び制御情報を送受信するための動作を実行するようにプロセッサにより実行可能な命令のプログラムを具体化するコンピュータ可読メモリが提供され、上記動作は、制御信号の送信のために１又はそれ以上の制御チャネル要素の集約が予約されたダウンリンク制御チャネル上で制御信号及びデータ信号を受信するステップと、ダウンリンク制御チャネル上の制御チャネル要素の数に対応する数のアップリンク制御チャネルインデックスが利用可能なアップリンクチャネル上で制御情報を送信するステップとを含み、上記送信は、複数のアップリンクチャネルインデックスを必要とし、複数の制御チャネルインデックスが利用可能な場合、制御情報の送信が、制御データを受信した最も下位のダウンリンクチャネル要素に対応するアップリンク制御チャネルインデックスと、制御データを受信した別の所定のチャネル要素に対応するアップリンク制御チャネルインデックスとを利用し、１つの制御チャネルインデックスが利用可能な場合、制御情報の送信が、最も下位のダウンリンク制御チャネル要素に対応するアップリンク制御チャネルインデックス要素を利用し、第２の制御チャネルインデックスに関する制御情報の送信が、別個のチャネル、又は制御情報の送信時に送信特性を調整することに基づく。
【００１８】
以下、添付図面を参照しながら本発明の実施形態をほんの一例として説明する。
【図面の簡単な説明】
【００１９】
【図１Ａ】例示的なシステムアーキテクチャを示す簡略ブロック図である。
【図１Ｂ】本発明の実施形態による装置の例を示す図である。
【図２】物理ダウンリンク制御チャネルＰＤＣＣＨのツリー構造を示す図である。
【図３Ａ】実施形態を示すフロー図である。
【図３Ｂ】実施形態を示すフロー図である。
【図３Ｃ】実施形態を示すフロー図である。
【図４Ａ】実施形態を示すシグナリング図である。
【図４Ｂ】実施形態を示すシグナリング図である。
【図５】ＰＵＣＣＨフォーマット１ａ／１ｂチャネルのチャネル空間構造を示す図である。
【図６】物理チャネルオフセットの例を示す図である。
【発明を実施するための形態】
【００２０】
以下、本発明の全てではなくいくつかを示す添付図面を参照しながら本発明の例示的な実施形態についてより完全に説明する。実際には、本発明は多くの異なる形で具体化することができ、本明細書に示す実施形態に限定されると解釈すべきではなく、むしろこれらの実施形態は、本開示が、適用可能な法的要件を満たすように提供するものである。本明細書では、いくつかの箇所で「ある（ａｎ）」、「１つの（ｏｎｅ）」、又は「いくつかの（ｓｏｍｅ）」実施形態について言及するが、これは必ずしも、個々のこのような言及が同じ実施形態に対するものであること、或いはその特徴が単一の実施形態にのみ適用されることを意味するものではない。異なる実施形態の単一の特徴を組み合わせて他の実施形態を実現することもできる。
【００２１】
本発明の実施形態は、あらゆるユーザ端末、サーバ、対応する構成要素、及び／又はあらゆる通信システム、或いは基準信号及び基準信号の巡回シフトを利用する異なる通信システムのあらゆる組み合わせに適用可能である。通信システムは無線通信システムであってもよく、又は固定ネットワークと無線ネットワークの両方を利用する通信システムであってもよい。特に無線通信では、使用するプロトコル、並びに通信システム、サーバ及びユーザ端末の仕様が急速に発展を遂げている。このような発展により、実施形態へのさらなる変更が必要となり得る。従って、全ての単語及び表現は広く解釈すべきであり、実施形態を限定することではなく例示することを意図している。
【００２２】
以下では、様々な実施形態について、これらの実施形態を適用できるアクセスアーキテクチャの例として、第３世代無線通信システムＵＭＴＳ（ユニバーサル移動体通信システム）に基づくアーキテクチャを用いて説明するが、これは、実施形態をこのようなアーキテクチャに限定するものではない。
【００２３】
通信システムの一般的なアーキテクチャを図１Ａに示す。図１Ａは、いくつかの要素及び機能エンティティのみを示す簡略化したシステムアーキテクチャであるが、これらは全て論理ユニットであり、その実施構成は図示のものとは異なる場合がある。図１Ａに示す接続は論理接続であり、実際の物理接続は異なる場合がある。当業者には、システムが他の機能及び構造を含むこともできることが明らかである。なお、グループ通信において又はグループ通信のために使用される機能、構造、要素及びプロトコルは、実際の発明とは無関係である。従って、ここでこれらについてより詳細に説明する必要はない。
【００２４】
図１Ａには、２つの基地局又はＮｏｄｅ  Ｂ１００及び１０２を示している。基地局１００及び１０２は、ネットワークの共通サーバ１０４に接続される。共通サーバ１０４は、動作及びメンテナンス（Ｏ＆Ｍ）サーバ１２０、及びモビリティ管理サーバ１２２を含むことができる。通常、Ｏ＆Ｍサーバの機能には、例えば、初期セルレベル無線リソース割り当て、性能モニタリングが含まれる。モビリティ管理サーバの機能は、ユーザ装置の接続のルーティングを担うことができる。ｎｏｄｅ  Ｂとサーバの間の接続は、インターネットプロトコル（ＩＰ）接続を使用することによって行うことができる。
【００２５】
通信ネットワークは、共通サーバ１０４に接続されたコアネットワーク１０６をさらに含むことができる。
【００２６】
図１Ａには、ｎｏｄｅ  Ｂ１００と通信（１１２、１１８）するユーザ装置１１０及び１１４を示している。ユーザ装置とは、ポータブルコンピュータ装置のことである。このようなコンピュータ装置は、加入者識別モジュール（ＳＩＭ）の有無に関わらず動作する無線移動体通信装置を含み、以下に限定されるわけではないが、携帯電話、スマートフォン、携帯情報端末（ＰＤＡ）、ハンドセット、ラップトップコンピュータといった種類の装置を含む。
【００２７】
図１Ａは、簡略化した例を示すものにすぎない。実際には、ネットワークは、より多くの基地局及び無線ネットワークコントローラを含むことができ、これらの基地局によってより多くのセルを形成することができる。２又はそれ以上の通信事業者のネットワークが重複することもあり、セルのサイズ及び形状が、図１などに示すものと異なる場合もある。
【００２８】
ＬＴＥの物理層は、直交周波数分割多元接続（ＯＦＤＭＡ）及び多入力多出力（ＭＩＭＯ）データ送信を含む。例えば、ＬＴＥは、ダウンリンク送信にはＯＦＤＭＡを、アップリンク送信にはシングルキャリア周波数分割多元接続（ＳＣ−ＦＤＭＡ）を展開する。ＯＦＤＭＡでは、送信周波数帯が、互いに直交する複数のサブキャリアに分割される。個々のサブキャリアは、特定のＵＥ１１０、１１４へデータを送信することができる。従って、サブキャリアの一部をいずれかの個々のＵＥ１１０、１１４に割り当てることにより多元接続が実現される。一方で、ＳＣ−ＦＤＭＡは、一種の離散フーリエ変換（ＤＦＴ）プリコードＯＦＤＭＡスキームである。このスキームは、シングルキャリア変調、直交周波数領域多重及び周波数領域等化を利用する。
【００２９】
なお、基地局又はｎｏｄｅ  Ｂは、コアネットワーク要素に直接接続することもできる（図示せず）。システム次第で、コアネットワーク側の相手を、移動体サービススイッチングセンター（ＭＳＣ）、メディアゲートウェイ（ＭＧＷ）、又はサービングＧＰＲＳ（汎用パケット無線サービス）サポートノード（ＳＧＳＮ）、ホームｎｏｄｅ  Ｂゲートウェイ（ＨＮＢ−ＧＷ）、モビリティ管理エンティティ及びエンハンストパケットコアゲートウェイ（ＭＭＥ／ＥＰＣ−ＧＷ）などとすることができる。リレーノードの概念を実現することにより、異なるｎｏｄｅ  Ｂ間の無線インターフェイスを介した直接通信も可能であり、この場合、リレーノードとは、無線バックホールを有する特別なｎｏｄｅ  Ｂとみなすことができ、或いは、例えばＸ２及びＳ１インターフェイスが別のｎｏｄｅ  Ｂにより無線インターフェイスを介してリレーされる。通信システムは、公衆交換電話網などの他のネットワークと通信することもできる。
【００３０】
しかしながら、これらの実施形態は、一例としての上述のネットワークに限定されるものではなく、当業者であれば、必要な特性を有する他の通信ネットワークにこの解決策を適用することができる。例えば、異なるネットワーク要素間の接続をインターネットプロトコル（ＩＰ）接続で実現することができる。
【００３１】
図１Ｂに、本発明の実施形態による装置の例を示す。図１Ｂには、通信チャネル１１２上で基地局１００と接続されるように構成されたユーザ装置１１０を示している。ユーザ装置１１０は、メモリ１２２及びトランシーバ１２４に動作可能に接続されたコントローラ１２０を含む。コントローラ１２０は、ユーザ装置の動作を制御する。メモリ１２２は、ソフトウェア及びデータを記憶するように構成される。トランシーバは、基地局１００への無線接続を確立してこれを維持するように構成される。トランシーバは、アンテナ配列１２８に接続されたアンテナポートの組１２６に動作可能に接続される。アンテナ配列は、アンテナの組を含むことができる。アンテナの数は、例えば２〜４とすることができる。アンテナの数は、いずれかの特定の数に限定されるものではない。
【００３２】
基地局又はｎｏｄｅ  Ｂ１００は、メモリ１３２及びトランシーバ１３４に動作可能に接続されたコントローラ１３０を含む。コントローラ１３８は、基地局の動作を制御する。メモリ１３２は、ソフトウェア及びデータを記憶するように構成される。トランシーバ１３４は、基地局のサービスエリア内にあるユーザ装置への無線接続を確立してこれを維持するように構成される。トランシーバ１３４は、アンテナ配列１３６に動作可能に接続される。アンテナ配列は、アンテナの組を含むことができる。アンテナの数は、例えば２から４とすることができる。アンテナの数は、いずれかの特定の数に限定されるものではない。
【００３３】
基地局は、通信システムの別のネットワーク要素１３８に動作可能に接続することができる。ネットワーク要素１３８は、例えば、無線ネットワークコントローラ、別の基地局、ゲートウェイ、又はサーバとすることができる。基地局は、複数のネットワーク要素に接続することができる。基地局１００は、ネットワーク要素との無線接続を確立してこれを維持するように構成されたインターフェイス１４０を含むことができる。ネットワーク要素１３８は、コントローラ１４２と、ソフトウェア及びデータを記憶するように構成されたメモリ１４４と、基地局と接続するように構成されたインターフェイス１４６とを含むことができる。実施形態では、このネットワーク要素が、別のネットワーク要素を介して基地局に接続される。
【００３４】
ＬＴＥ−Ａでは、ＵＥ１１０、１１４から基地局又はＮｏｄｅ  Ｂ１００及び１０２へのアップリンクアクセスリンクとして物理アップリンク制御チャネル（ＰＵＣＣＨ）が提供される。ＰＵＣＣＨを使用して、確認応答（ＡＣＫ）／否定応答（ＮＡＣＫ）、チャネル品質及び／又はスケジューリング要求（ＳＲ）の測度を示す制御情報を基地局又はＮｏｄｅ  Ｂへ送信することができる。また、ＰＵＣＣＨ送信は、復調基準シンボル／信号（ＤＭ  ＲＳ）を含むことができる。
【００３５】
ＰＵＣＣＨは、異なるフォーマットに分割することができる。フォーマット１は、アップリンク送信の必要性を示す非変調スケジューリング要求インジケータ（ＳＲＩ）を送信するために生成される。アップリンク送信の必要性は、データがＵＥ１１０、１１４内でバッファ処理されており、アップリンク送信で送信されるのを待っていることに起因することができる。受信したダウンロードリンクデータの正しさのみを示すＡＣＫ／ＮＡＣＫインジケータの送信には、ＰＵＣＣＨのフォーマット１ａ／１ｂが適用される。ＡＣＫ／ＮＡＣＫインジケータは１つ又は２つのビットから成ることができ、これを変調シーケンスによって送信することができる。この変調は、二相位相変調（ＢＰＳＫ）又は四相位相変調（ＱＰＳＫ）によって得られる。さらに、変調ＡＣＫ／ＮＡＣＫシーケンスは、コンピュータが検索したゼロ自己相関（ＣＡＺＡＣ）シーケンスの影響を受けることがある。また、このシーケンスに対して、直交符号の使用によるブロック拡散を実行することができる。フォーマット２／２ａ／２ｂは、定期的なＣＱＩ及びＣＱＩ＋ＡＣＫ／ＮＡＣＫインジケータの送信を示す。
【００３６】
実施形態では、ＬＴＥベースのシステムのユーザ装置が、物理ダウンリンク制御チャネル（ＰＤＣＣＨ）上で制御信号及びデータ信号を受信するように構成される。ＰＤＣＣＨは、いくつかの連続する制御チャネル要素（ＣＣＥ）の集約に基づいて送信される。この集約はツリー構造に従う。１つのＰＤＣＣＨは、異なる数のＣＣＥから成ることができる。ＬＴＥリリース８では、１、２、４、及び８つのＣＣＥの集約レベルが定義されている。
【００３７】
図２に、ＰＤＣＣＨのツリー構造を示す。図２には、利用可能な集約レベル１（２２０）、２（２２２）、４（２２４）、及び８（２２６）を示している。また、制御チャネル要素インデックス２２８及びフォーマット１ａ／１ｂリソースインデックスｎ(1)PUCCH２３０も示している。
【００３８】
集約レベルが１に等しい場合、ＰＤＣＣＨから１つの制御チャネル要素が予約される。同様に、集約レベルが２、４、及び８に等しい場合、予約されるＰＤＣＣＨ制御チャネル要素の数は、２、４、及び８に等しい。図２には、ＵＥ１のために１つのＣＣＥ２００が予約される例を示している。別の例では、第２のＵＥの受信のためにＰＤＣＣＨから４つのＣＣＥ２０２が予約される。第３の例では、集約レベルが８に等しく、第３のＵＥのために８つのＣＣＥ２０４が予約される。
【００３９】
現在の３ＧＰＰ  ＬＴＥ標準では、動的ＡＣＫ／ＮＡＣＫ（ＡＣＫ／ＮＡＣＫデータ及びＤＭ  ＲＳの両方）送信のためのＰＵＣＣＨフォーマット１ａ／１ｂリソースが、対応する物理ダウンリンク制御チャネル（ＰＤＣＣＨ）の最も下位の制御チャネル要素（ＣＣＥ）によって暗黙的に指示される。通常は、ダウンリンクＰＤＣＣＨ及びアップリンク確認応答のためのリソースが（たとえ、これらがアップリンク及びダウンリンクの異なるサブフレームに割り当てられているとしても）同時に予約される。図２の例では、第１のＵＥが、ＰＵＣＣＨ  ＣＣＥ２０６でＡＣＫ又はＮＡＣＫを送信する。第２のＵＥはＰＵＣＣＨ  ＣＣＥ２０８で、第３のＵＥはＰＵＣＣＨ  ＣＣＥ２１０で、それぞれＡＣＫ又はＮＡＣＫを送信する。
【００４０】
動的にスケジュールされる物理ダウンリンク共有チャネル（ＰＤＳＣＨ）のためのＰＵＣＣＨフォーマット１ａ／１ｂリソースインデックスｎ(1)PUCCHは、以下の方程式により導かれる。
ｎ(1)PUCCH＝ｎCCE＋Ｎ(1)PUCCH
この場合、ｎCCEは、図１に示すような最も下位のＰＤＣＣＨ制御チャネル要素のインデックスであり、Ｎ(1)PUCCHは、より上位の層によって構成されるシステムパラメータ（すなわち、予約されたＰＵＣＣＨフォーマット１／１ａ／１ｂリソースの数）である。この方程式は、３ＧＰＰ文書ＴＳ  ３６．２１３のセクション１０．１に示されている。
【００４１】
ＳＵ−ＭＩＭＯは、ＬＴＥ−Ａでサポートされる可能性が高いので、ユーザ装置１１０、１１４を、複数のアンテナを利用して基地局と通信するように構成することができる。通常、アンテナの数は２〜４とすることができる。しかしながら、アンテナの数は、いずれかの特定の数に限定されるものではない。
【００４２】
上述したリリース８に関連する暗黙的マッピング及びＰＵＣＣＨリソースプロビジョニングは、ＡＣＫ／ＮＡＣＫを送信するための複数のＰＵＣＣＨリソースの同時使用をサポートしない。
【００４３】
ＳＵ−ＭＩＭＯを適用するユーザ装置が、ＰＵＣＣＨ上で制御情報を送信する必要があり、この送信に複数のアップリンクＣＣＥを必要とする実施形態について検討する。
【００４４】
図２に示すように、ＰＤＣＣＨ上で集約レベル２、４、又は８を使用する場合、アップリンクＰＵＣＣＨ上に、ＡＣＫ／ＮＡＣＫ送信に利用できる制御チャネルインデックスは複数存在する。利用可能なインデックスの数は、集約レベルに対応する。
【００４５】
実施形態では、複数の制御チャネルインデックスが利用可能な場合、制御情報の送信には、制御データを受信した最も下位のダウンリンクチャネル要素に対応するアップリンク制御チャネルインデックス、及び制御データを受信した所定のチャネル要素に対応するアップリンク制御チャネルインデックスが利用される。
【００４６】
図３Ａは、実施形態を示すフロー図である。ステップ３００において、シングルユーザ多入力多出力送信を利用するユーザ装置が、ＰＤＣＣＨ上で集約レベル２、４、又は８で制御信号及びデータ信号を受信する。
【００４７】
ステップ３０２において、ユーザ装置のコントローラ１２０が、制御データを受信した最も下位のダウンリンクチャネル要素に対応するアップリンク制御チャネルインデックスを利用して最初のＡＣＫ／ＮＡＣＫを送信するようにユーザ装置を制御する。
【００４８】
ステップ３０４において、ユーザ装置のコントローラ１２０が、制御データを受信した所定のチャネル要素に対応するアップリンク制御チャネルインデックスを利用して追加のＡＣＫ／ＮＡＣＫを送信するようにユーザ装置を制御する。
【００４９】
実施形態では、この所定のインデックスは、制御データを受信した所定のチャネル要素に対応する２番目のインデックス又は最後のインデックスのいずれかである。
【００５０】
従って、集約レベル８では、７つの代替案が考えられる。集約レベル４では、３つの代替案が考えられる。集約レベル２では、利用可能なインデックスは１つである。追加のＡＣＫ／ＮＡＣＫ送信の数は、使用するＭＩＭＯ法に依存することができる。
【００５１】
図２に示すように、ＰＤＣＣＨ上で集約レベル１を使用する場合、ＡＣＫ／ＮＡＣＫ送信に利用できるアップリンクＰＵＣＣＨ上の制御チャネルインデックスは１つしかない。この状況では、上述した解決策を適用することができない。
【００５２】
１つの制御チャネルインデックスしか利用できない実施形態では、制御情報の送信に、最も下位のダウンリンク制御チャネル要素に対応するアップリンク制御チャネルインデックス要素が利用され、追加の制御チャネルインデックスの利用は、別個のチャネル、又は送信特性を調整することに基づく。
【００５３】
図３Ｂは、実施形態を示すフロー図である。ステップ３０６において、シングルユーザ多入力多出力送信を利用するユーザ装置が、ＰＤＣＣＨ上で集約レベル１で制御信号及びデータ信号を受信する。
【００５４】
ステップ３０８において、ユーザ装置のコントローラ１２０が、制御データを受信した最も下位のダウンリンクチャネル要素に対応するアップリンク制御チャネルインデックスを利用して最初のＡＣＫ／ＮＡＣＫを送信するようにユーザ装置を制御する。
【００５５】
ステップ３１０において、ユーザ装置のコントローラ１２０が、別個のチャネルを利用して又は利用可能なチャネルの送信特性を調整して追加のＡＣＫ／ＮＡＣＫを送信するようにユーザ装置を制御する。
【００５６】
実施形態では、利用可能な制御チャネルインデックスが、所定のアンテナ又は所定のアンテナグループに割り当てられる。
【００５７】
実施形態では、１つの制御チャネルインデックスを利用できる場合、制御情報の送信は、単一アンテナによる送信又はプリコードした単一ストリームの送信に対応する。
【００５８】
図３Ｃは、別の実施形態を示すフロー図である。ステップ３０６において、シングルユーザ多入力多出力送信を利用するユーザ装置が、ＰＤＣＣＨ上で集約レベル１で制御信号及びデータ信号を受信する。
【００５９】
ステップ３１２において、ユーザ装置のコントローラ１２０が、利用可能なアップリンク制御チャネルインデックスを利用してＡＣＫ／ＮＡＣＫを送信するようにユーザ装置を制御する。
【００６０】
従って、この実施形態では、ユーザ装置が、ＰＤＣＣＨが１つのＣＣＥしか含まない場合には単一アンテナ送信スキームを利用するように構成される。この場合、２つのスロット間にアンテナスイッチングを適用することもできる。或いは、送信のために所定のアンテナを選択することができる。同様に、異なる電力制御パラメータを適用することもできる。この解決策では、異なるユーザ装置のＡＣＫ／ＮＡＣＫ送信間にスケジューリング制約がない。また、ＰＵＣＣＨオーバーヘッドの増加がない。単一アンテナスキームを使用するので、僅かな性能上の問題があるかもしれない。しかしながら、ダウンリンクで集約レベル１を使用するので、信号対雑音比ＳＩＮＲが比較的高く、単一アンテナによる送信が問題を生じることはないと想定することができる。
【００６１】
ＬＴＥの周波数分割二重（ＦＤＤ）では、アップリンクでシグナリングされるＡＣＫ／ＮＡＣＫメッセージが、単一のＤＬサブフレーム及び１つ又は２つのＰＤＳＣＨコードワード（ビット）に関連する。ＬＴＥ  ＴＤＤでは、複数のＤＬサブフレームに対応するＡＣＫ／ＮＡＣＫを送信することができる。ＬＴＥ  ＴＤＤには、ＡＣＫ／ＮＡＣＫバンドリング及びＡＣＫ／ＮＡＣＫ多重化という２つの選択肢が存在する。ＡＣＫ／ＮＡＣＫバンドリングの場合、複数のＤＬサブフレーム（及び／又は空間レイヤ）に対応するＡＣＫ／ＮＡＣＫビットに対して論理ＡＮＤ演算が行われる。ＬＴＥ−Ａｄｖａｎｃｅｄの場合、同様にＡＣＫ／ＮＡＣＫバンドリングを複数のコンポーネントキャリアに適用することもできる。
【００６２】
別個のチャネルを利用して又は送信チャネルの送信特性を調整して、ＳＵ−ＭＩＭＯユーザ装置に関連する第２の制御チャネルを利用することは、様々な方法で実現することができる。実施形態では、ネットワークが、Ｎｏｄｅ  Ｂのエリア内に、チャネル割り当てに関与するネットワーク要素を含む。このネットワーク要素は、Ｎｏｄｅ  Ｂ自体であってもよい。
【００６３】
このネットワーク要素を、アップリンク制御情報の送信のためのリソースを割り当てるのに適した方法を判定するように構成することができる。ネットワーク要素を、アップリンク制御情報の送信のための１又はそれ以上の制御チャネルインデックスを含む、ダウンリンク及びアップリンクチャネルのチャネル割り当てに関する情報を、シングルユーザ多入力多出力送信を利用するユーザ装置へ送信するように構成することもできる。また、ユーザ装置を、ネットワーク要素から命令を受け取り、これに従って動作するように構成することができる。
【００６４】
ＰＤＣＣＨが複数の制御チャネル要素から成る場合、予約済みのＰＵＣＣＨフォーマット１／１ａ／１ｂリソースが複数存在するようになる。これにより、動的にスケジュールされたＰＤＳＣＨに対応するＡＣＫ／ＮＡＣＫフィードバックを送信する際に、開ループ送信ダイバーシチ技術を使用できるようになる。ＰＤＣＣＨが単一の制御チャネル要素のみから成る場合、デフォルトにより、予約済みのＰＵＣＣＨフォーマット１／１ａ／１ｂリソースが１つだけ存在するようになる。これらの場合、ユーザ装置は、開ループ送信ダイバーシチスキームの代わりに、所定のアンテナを使用した単一アンテナ送信を利用することができる。選択されるアンテナは、ユーザ装置による選択に基づくことができ、或いはＮｏｄｅ  Ｂがこれを選択することもできる。或いは、やはり単一のＰＵＣＣＨフォーマット１／１ａ／１ｂリソースしか必要としないプリコードされた単一ストリーム送信を適用することもできる。
【００６５】
図４Ａのシグナリング図によって実施形態を示す。この実施形態では、チャネル割り当てに関与するネットワーク要素４００が、シングルユーザ多入力多出力送信を利用するユーザ装置４０２に、送信のために複数の制御チャネル要素の集約が予約されたダウンリンクチャネルのチャネル割り当て４０４を送信するように構成される。従って、ＳＵ−ＭＩＭＯを適用するユーザ装置が、ＰＤＣＣＨが１つのＣＣＥしか含まない状態でＰＤＳＣＨのスケジューリングを受け取ることはない。上述したような所定の制御チャネルインデックスにより、第２のＡＣＫ／ＮＡＣＫチャネル（又は場合によっては、ｔｘアンテナが４つの場合には第２、第３、第４のチャネル）が暗黙的に指示される。システムの他のユーザ装置のチャネル割り当ては、このように制限されることはない。この解決策では、ＰＵＣＣＨオーバーヘッドの増加がない。
【００６６】
代替例として、ＳＵ−ＭＩＭＯユーザ装置のためのアップリンク確認応答グラントを含む単一ＣＣＥの後に、別のアップリンク確認応答グラント又はこれの一部を含むＣＣＥ（このＣＣＥ上では依然としてＤＬ割り当てをスケジュールすることができる）が続いてはいけないと定義することができる。従って、ＳＵ−ＭＩＭＯユーザ装置が利用できる空のＣＣＥが常に存在するようになる。通常、ダウンリンクＰＤＣＣＨのためのリソースとアップリンク確認応答のためのリソースは同時に予約される。図２の例では、ＵＥ１が、ダウンリンクＰＤＣＣＨ２００のためのリソース及びアップリンク確認応答２０６のためのリソースを受け取る。この代替の選択肢では、ＵＥ１がＳＵ−ＭＩＭＯを利用すると仮定した場合、インデックス２００後のアップリンクＣＣＥは、他のいずれのＵＥにも割り当てられない。
【００６７】
図４Ｂのシグナリング図により実施形態を示す。この実施形態では、チャネル割り当てに関与するネットワーク要素４００が、シングルユーザ多入力多出力を利用するユーザ装置４０２に、アップリンク制御情報の送信のための１又はそれ以上の追加の制御チャネルインデックスの割り当て４０６を送信するように構成される。従って、ＰＤＣＣＨ上で集約レベル１で制御信号及びデータ信号を受信するＳＵ−ＭＩＭＯユーザ装置では、追加のＡＣＫ／ＮＡＣＫチャネルとして適用されるＰＵＣＣＨフォーマット１ａ／１ｂリソースを明示的にシグナリングすることができる。他の集約レベルのＳＵ−ＭＩＭＯユーザ装置では、この特別な割り当ては必要でない。
【００６８】
この特別な割り当ては、反復するＡＣＫ／ＮＡＫに使用されるＰＵＣＣＨフォーマット１ａ／１ｂリソース構成を再利用できるので実施が容易である。
【００６９】
図５に、ＰＵＣＣＨフォーマット１ａ／１ｂチャネルのチャネル空間構造を示す。考えられるｎ(1)PUCCHの値をスタック５００とみなすことができる。基地局の所与のカバーエリア内にあるユーザ装置の制御送信のために、アップリンク制御チャネル上の所与の数の連続するチャネルインデックスｎ(1)PUCCHが予約される。チャネルインデックスは、連続するチャネルインデックスを含む２つのグループを含む。インデックスグループ５０２は、永続的リソースのために予約される。第２インデックスグループ５０４は、動的リソースのために予約される。実施形態では、この区分がブロードキャストシステムパラメータに基づく。図５では、斜線のインデックスが現在使用中のインデックスである。例えば、インデックス５０６は、動的リソースのために予約されたリソース内の使用中のインデックスを示す。実施形態では、第２の制御チャネルインデックスの割り当てが、ユーザ装置の制御送信のために予約された所与の数のインデックス内の所与の位置に対する一定のオフセットに基づく。
【００７０】
実施形態では、第２の制御チャネルインデックスのための領域５１４の割り当てが、動的リソースとして示すインデックスグループ５０４の開始位置に対する一定のオフセット５０８に基づく。オフセット５０８は、第２の制御チャネルインデックスのための領域が、動的ＡＣＫ／ＮＡＣＫ領域５０４と完全に又は部分的に重複するように設定することができる。オフセット５０８を十分に大きく設定した場合、第２の制御チャネルインデックスのための領域が、標準的ＰＵＣＣＨフォーマット１ａ／１ｂリソースと完全に重複しなくなる。
【００７１】
実施形態では、第２の制御チャネルインデックスのための領域５１６の割り当てが、動的リソースとして示すインデックスグループの瞬間的サイズ５０６に対する一定のオフセット５１０に基づく。動的ＰＵＣＣＨフォーマット１ａ／１ｂリソースのサイズは、物理制御フォーマットインジケータチャネル（ＰＣＦＩＣＨ）に依存することが知られている。ＰＣＦＩＣＨ＝１、ＰＣＦＩＣＨ＝２、又はＰＣＦＩＣＨ＝３に対応する一定のオフセットを、ＰＤＣＣＨ上でシグナリングされる実際のＰＣＦＩＣＨに関係なく設定することもできる。
【００７２】
実施形態では、第２の制御チャネルインデックスのための領域５１８の割り当てが、永続的リソースとして示すインデックスグループの開始位置に対する一定のオフセット５１２に基づく。
【００７３】
実施形態では、４つの送信アンテナが動作する場合、第２、第３、及び第４の送信アンテナについて別個のオフセットを定義することができる。
【００７４】
図５に示すように、第２の制御チャネルインデックスのための領域５１４、５１６、５１８のサイズを定義するには、限られたサイズによるものと限られていないサイズによるものという２つの方法が考えられる。図５では、二重斜線が一定のサイズを示し、単一斜線が無制限のサイズを示す。次に、第２のアンテナ（ｎ(1)PUCCH,2）のためのＡＣＫ／ＮＡＣＫチャネルを定義する原理の例について検討する。以下では、Ｋは、（ＰＵＣＣＨフォーマット１ａ／１ｂチャネルインデックスに関する）オフセットパラメータを示し、Ｍは、第２の制御チャネルインデックスグループのサイズに等しい（サイズが限られる場合）。ＣＣＥは、最も下位のＰＤＣＣＨ制御チャネル要素のインデックスを示す。実施形態では、これらのパラメータ（Ｍ、Ｋ）が、例えばブロードキャストシステム情報を介して又は専用制御情報を介してシグナリングされる。
【００７５】
図５の第１の実施形態（領域５１４）の場合
限られていないサイズ：ｎ(1)PUCCH,2＝ＣＣＥ＋Ｋ
限られたサイズ：ｎ(1)PUCCH,2＝ｍｏｄ（ＣＣＥ＋Ｋ，Ｍ）
図５の第２の実施形態（領域５１６）の場合
限られていないサイズ：ｎ(1)PUCCH,2＝ＣＣＥ＋Ｋ
限られたサイズ：ｎ(1)PUCCH,2＝ｍｏｄ（ＣＣＥ＋Ｋ，Ｍ）
図５の第３の実施形態（領域５１８）の場合
限られたサイズ：ｎ(1)PUCCH,2＝ｍｏｄ（ＣＣＥ＋Ｋ，Ｍ）
【００７６】
これらの実施形態では、ＰＵＣＣＨオーバーヘッドの増加は、あったとしてもほんの僅かである。また、この方法は容易に構成される。
【００７７】
実施形態では、追加の制御チャネルインデックスのための論理ＰＵＣＣＨフォーマット１ａ／１ｂチャネルの予約が、論理ＰＵＣＣＨフォーマット１／１ａ／１ｂチャネル空間の外部で行われる。第１の制御チャネルインデックスに対して予め定めた巡回シフトオフセットを第２の制御チャネルインデックスの送信において適用することにより、第２の制御チャネルインデックスのためのリソースを割り当てることができる。
【００７８】
図６に、物理チャネルオフセットの例を示す。図６の例では、第２のアンテナのためのＰＵＣＣＨリソース（「０＿２」）が、第１のアンテナによって予約されたＰＵＣＣＨリソース（「０」）から導かれる。予約は、例えば、予め定めたΔＣＳ（巡回シフト）及び／又はΔＯＣ（デルタ直交カバーコード）オフセットを使用することによって行うことができる。この予め定めたオフセットを、より上位のレイヤを介してシグナリングすることができる。
【００７９】
実施形態では、４つの送信アンテナが動作する場合、個々の送信アンテナに対して別個のオフセットを定義することができる。
【００８０】
物理チャネルオフセットに関する問題点は、リソース間の直行性が低下するという点である。しかしながら、例えば、Δ＿ｓｈｉｆｔパラメータの値を増加させることにより、占有リソース間の直行性を改善することができる。Δ＿ｓｈｉｆｔは、同じ直交カバーシーケンスを使用する２つの隣接するＡＣＫ／ＮＡＣＫリソース間の巡回シフト差を定義する。データ部分に第４（標準的サイクリックプレフィクスでは第３及び第４）のＯＣを利用することもできる。なお、物理チャネルオフセット法を使用する場合には、巡回シフトのランダム化技術を正しく適用すべきである。１つの方法は、２つのスロットに対して異なるΔＣＳ（及び／又はΔＯＣ）を持つことである。
【００８１】
この実施形態では、Δ＿ｓｈｉｆｔ＞１である限り、占有チャネル間に衝突はない。また、ＰＵＣＣＨオーバーヘッドの増加もない。
【００８２】
実施形態では、図５及び図６に関連して説明した方法をともに適用することができる。従って、第２の制御チャネルインデックスの割り当ては、ユーザ装置の制御送信のために予約された所与の数のインデックス内の所与の位置に対する一定のオフセット、及び第１の制御チャネルインデックスに対して予め定めた巡回シフトオフセットを第２の制御チャネルインデックスの送信において適用することに基づくことができる。
【００８３】
実施形態では、他の何らかの目的でユーザ装置に割り当てられたリソースを、第２の制御チャネルインデックスの送信で利用することができる。利用できるリソースの非制限的な例として、スケジューリング要求（ＳＲ）リソース、チャネル品質インジケータ（ＣＱＩ）／プリコーディングマトリクスインジケータ（ＰＭＩ）／ランクインジケータ（ＲＩ）リソース、及び永続的ＡＣＫ／ＮＡＣＫリソースが挙げられる。
【００８４】
ＡＣＫ／ＮＡＣＫ送信時に上述のリソースのいくつかが占有されていない場合、空きリソースを第２の直交ＡＣＫ／ＮＡＣＫリソースとして使用することができる。
【００８５】
この実施形態のいくつかの利点として、効率的なリソース割り当て及びリソース分割の最小化が挙げられる。
【００８６】
上述したステップ及び動作を実行できる装置を、ワーキングメモリ（ＲＡＭ）、中央処理装置（ＣＰＵ）及びシステムクロックを含むことができる電子デジタルコンピュータとして実現することができる。ＣＰＵは、一連のレジスタ、算術論理演算ユニット、及び制御ユニットを含む。制御ユニットは、ＲＡＭからＣＰＵに転送される一連のプログラム命令により制御される。制御ユニットは、基本動作のための多くのマイクロ命令を含むことができる。マイクロ命令の実施構成は、ＣＰＵの設計によって異なることができる。プログラム命令はプログラミング言語によってコード化することができ、これらの言語は、Ｃ、Ｊａｖａ（登録商標）などの高水準プログラミング言語であっても、或いはマシン語又はアセンブラなどの低水準プログラミング言語であってもよい。電子デジタルコンピュータは、プログラム命令で記述されたコンピュータプログラムにシステムサービスを提供できるオペレーティングシステムを有することもできる。
【００８７】
実施形態は、電子装置にロードされた場合に、上述したようなシングルユーザ多入力多出力送信を利用するユーザ装置の制御信号のアップリンク送信を制御するように構成されたプログラム命令を含む、配布媒体上で具体化されるコンピュータプログラムを提供する。
【００８８】
コンピュータプログラムは、ソースコード形式、オブジェクトコード形式、又は何らかの中間形式をとることができ、これを、プログラムを搬送できるいずれのエンティティ又は装置であってもよい何らかの種類のキャリアに記憶することができる。このようなキャリアとして、例えば、記録媒体、コンピュータメモリ、読み取り専用メモリ、電気搬送波信号、電気通信信号、及びソフトウェア配布パッケージが挙げられる。必要な処理能力に応じ、コンピュータプログラムを単一の電子デジタルコンピュータで実行することも、或いは多くのコンピュータ間に分散させることもできる。
【００８９】
装置を、特定用途向け集積回路ＡＳＩＣなどの１又はそれ以上の集積回路として実現することもできる。別個の論理要素で構築される回路などの他のハードウェアの実施形態も実現可能である。これらの異なる実施構成の混成も実現可能である。実施方法を選択する場合、当業者であれば、例えば、装置のサイズ及び消費電力、必要な処理能力、製造コスト、及び製造量に関して設定された要件を考慮するであろう。
【００９０】
当業者には、技術が進歩するにつれ、本発明の概念を様々な方法で実現できることが明らかであろう。本発明及びその実施形態は、上述の例に限定されるものではなく、特許請求の範囲内では異なることができる。
【符号の説明】
【００９１】
３００  ＰＤＣＣＨ上で集約レベル２、４、又は８で信号を受信
３０２  制御データを受信した最も下位のダウンリンクチャネルＣＣＥに対応するアップリンク制御チャネルインデックスを利用して最初のＡＣＫ／ＮＡＣＫを送信
３０４  制御データを受信した所定のチャネル要素に対応するアップリンク制御チャネルインデックスを利用して追加のＡＣＫ／ＮＡＣＫを送信
【図１Ａ】
0005634499.tif 000002
【図１Ｂ】
0005634499.tif 000003
【図２】
0005634499.tif 000004
【図３Ａ】
0005634499.tif 000005
【図３Ｂ】
0005634499.tif 000006
【図３Ｃ】
0005634499.tif 000007
【図４Ａ】
0005634499.tif 000008
【図４Ｂ】
0005634499.tif 000009
【図５】
0005634499.tif 000010
【図６】
0005634499.tif 000011